(57)【要約】【課題】Ｘ線ＣＴ装置により経時的に取得された投影データを基に、観察対象の位置関係に応じて再構成条件を変更して画像データを生成可能な医用画像処理装置を提供する。【解決手段】記憶部は、少なくとも２つ以上の組織により構成される生体の可動部位をＸ線でスキャンして得られた投影データが記憶する。再構成処理部は、第１のフレームレートで投影データに再構成処理を施して第１の画像データを生成する。抽出部は、第１の画像データから各部位を抽出する。解析部は、各タイミングについて各部位の位置関係が所定の範囲に含まれるか否かを判断する。また、再構成処理部は、所定の範囲に含まれると判断された第１の画像データに対応するタイミングについて、投影データのうち当該タイミングに対応する範囲の投影データに対して第２のフレームレートで再構成処理を施すことで第２の画像データを生成する。【選択図】図１Ｂ
2013172816.tif 000002
【特許請求の範囲】
【請求項１】
少なくとも２つ以上の部位により構成される生体の可動部位をＸ線でスキャンして得られた投影データが記憶された記憶部と、
第１のフレームレートで前記投影データに再構成処理を施して、前記可動部位の第１の画像データを生成する再構成処理部と、
前記第１の画像データから前記可動部位を構成する各部位を抽出する抽出部と、
各タイミングについて前記可動部位を構成する各部位の位置関係が所定の範囲に含まれるか否かを判断する解析部と、
を備え、
前記再構成処理部は、前記所定の範囲に含まれると判断された前記第１の画像データに対応するタイミングについて、前記投影データのうち当該タイミングに対応する範囲の投影データに対して第１のフレームレートとは異なる第２のフレームレートで再構成処理を施すことで第２の画像データを生成することを特徴とする医用画像処理装置。
【請求項２】
前記部位は骨であって、
前記抽出部は、前記骨をそれぞれ抽出し、
前記解析部は、抽出された可動部位を構成する前記骨の位置関係が前記所定の範囲に含まれるか否かを判断することを特徴とする請求項１に記載の医用画像処理装置。
【請求項３】
前記解析部は、抽出された可動部位を構成する前記骨それぞれについて、３点以上の形状特徴により面を形成し、形成された２つの前記面の位置関係を、前記可動部位を構成する前記骨の位置関係とすることを特徴とする請求項２に記載の医用画像処理装置。
【請求項４】
前記解析部は、形成された２つの前記面の成す角度を基に、前記面の位置関係が前記所定の範囲に含まれるか否かを判断することを特徴とする請求項３に記載の医用画像処理装置。
【請求項５】
前記解析部は、形成された２つの前記面の間の距離を基に、前記面の位置関係が前記所定の範囲に含まれるか否かを判断することを特徴とする請求項３に記載の医用画像処理装置。
【請求項６】
前記解析部は、抽出された可動部位を構成する前記骨それぞれについて、２点の形状特徴を結んで線を形成し、形成された２つの前記線の位置関係を、前記可動部位を構成する前記骨の位置関係とすることを特徴とする請求項２に記載の医用画像処理装置。
【請求項７】
前記解析部は、抽出された可動部位を構成する前記骨それぞれの外形に基づき、前記可動部位を構成する前記骨の位置関係を特定することを特徴とする請求項２に記載の医用画像処理装置。
【請求項８】
前記解析部は、抽出された可動部位を構成する前記骨それぞれの濃淡を示す情報に基づき、前記可動部位を構成する前記骨の位置関係を特定することを特徴とする請求項２に記載の医用画像処理装置。
【請求項９】
前記抽出部は、前記部位それぞれの表層に基づき、前記可動部位を構成する各部位を抽出することを特徴とする請求項１に記載の医用画像処理装置。
【請求項１０】
前記抽出部は、前記組織それぞれの表層に基づき、前記可動部位を構成する各部位を含む領域を抽出し、
前記解析部は、前記領域の形状と、あらかじめ決められた形状との間の変化量が所定の範囲に含まれるか否かを判断することを特徴とする請求項１に記載の医用画像処理装置。
【請求項１１】
前記解析部は、複数タイミング間における前記可動部位を構成する各部位の位置の変化量をそれぞれ算出し、算出された前記変化量に基づき、前記所定の範囲を決定することを特徴とする請求項１乃至請求項１０のいずれか一つに記載の医用画像処理装置。
【請求項１２】
前記投影データ中の所定タイミングをあらかじめ指定するタイミング指定部を備え、
前記解析部は、前記所定タイミングに対応する前記第１の画像データから抽出された前記可動部位を構成する各部位の位置関係を基準として、前記基準からの変化量が所定量以内となる範囲を、前記所定の範囲として決定することを特徴とする請求項１乃至請求項１０のいずれか一つに記載の医用画像処理装置。
【発明の詳細な説明】
【技術分野】
【０００１】
本発明の実施形態は、Ｘ線ＣＴ装置により取得された投影データに基づき医用画像を生成する医用画像処理装置の技術に関する。
【背景技術】
【０００２】
Ｘ線ＣＴ（Ｃｏｍｐｕｔｅｄ  Ｔｏｍｏｇｒａｐｈｙ）装置は、Ｘ線を利用して被検体をスキャンし、収集されたデータをコンピュータにより処理することで、被検体の内部を画像化する装置である。
【０００３】
具体的には、Ｘ線ＣＴ装置は、被検体に対してＸ線を異なる方向から複数回曝射し、被検体を透過したＸ線をＸ線検出器にて検出して複数の検出データを収集する。収集された検出データはデータ収集部によりＡ／Ｄ変換された後、コンソール装置に送信される。コンソール装置は、当該検出データに前処理等を施し投影データを作成する。そして、コンソール装置は、投影データに基づく再構成処理を行い、断層画像データ、或いは複数の断層画像データに基づくボリュームデータを作成する。ボリュームデータは、被検体の三次元領域に対応するＣＴ値の三次元分布を表すデータセットである。
【０００４】
また、Ｘ線ＣＴ装置には、単位時間に高精細（高解像度）且つ広範囲に画像の撮影を可能とするマルチスライスＸ線ＣＴ装置が含まれる。このマルチスライスＸ線ＣＴ装置は、シングルスライスＸ線ＣＴ装置で用いられている検出器として、検出素子が体軸方向にｍ列、体軸方向と直交する方向にｎ列、つまりｍ行ｎ列に配列された構造の２次元検出器を用いる。
【０００５】
このようなマルチスライスＸ線ＣＴ装置は、検出器が大きくなるほど（構成する検出素子の数が増えるほど）、一度の撮影でより広い領域の投影データを取得することが可能である。即ち、このような検出器を備えたマルチスライスＸ線ＣＴ装置を用いて経時的に撮影を行うことで、所定部位のボリュームデータを、高いフレームレートで生成することができる（以降では、「Ｄｙｎａｍｉｃ  Ｖｏｌｕｍｅスキャン」と呼ぶ場合がある）。これにより、操作者は、単位時間内における所定部位の動きを、三次元画像により評価することが可能となる。
【０００６】
また、Ｘ線ＣＴ装置により取得された投影データを基に、ボリュームデータを再構成し、そのボリュームデータから医用画像を生成する医用画像処理装置がある。
【先行技術文献】
【特許文献】
【０００７】
【特許文献１】特開２０１０−２０１１５７号公報
【発明の概要】
【発明が解決しようとする課題】
【０００８】
一方で、関節等のように、複数の部位により構成される可動部位を観察対象として、その動きを評価する場合、観察対象の各部位が、操作者によりあらかじめ決められた位置関係となる場合に、フレームレートを高くすることで細かい動きを観察可能に表示してほしいという要望がある。具体的には、例えば、患者が腕の関節を曲げたときに、患者の反応（例えば、患者の「痛い」という反応）があった場合に、その反応の前後における骨の状態を詳細に観察可能とすることが望まれている。
【０００９】
また、関節等の観察対象の動きの速さは常に一定ではなく、一連の動作を同じフレームレートで表示させた場合には、観察対象が速く動くタイミングでは、観察対象の細かい動きが観察しづらい場合がある。そのため、観察対象が速く動く場合に、フレームレートを高くすることで細かい動きを観察可能に表示してほしいという要望もある。また、このとき、より細かい動きを観察可能にするために、例えば、観察対象をより高い解像度で表示するといった対応も望まれている。なお、フレームレートや解像度は、再構成条件により決定される。また、フレームレートを高くする、または、解像度を高くすると、再構成に係る処理負荷が高くなり処理時間が増大する。そのため、再構成条件は、医用画像の生成に係る時間や要求される画質に応じて、あらかじめ決定される。
【００１０】
このように、「あらかじめ決められた位置関係」のような絶対位置に基づく位置関係や、「観察対象の動きの速さ」のような各タイミング間における観察対象の相対的な位置関係に応じて、観察対象の細かい動きを観察可能に、再構成条件を変更して表示させたいという場合がある。なお、表示される画像のフレームレートは、取得されたボリュームデータのフレームレート（即ち、ボリュームレート）に基づき決定される。なお、以降では、ボリュームデータを「画像データ」と呼ぶ場合がある。
【００１１】
この発明の実施形態は、Ｘ線ＣＴ装置により経時的に取得された投影データを基に、観察対象の位置関係に応じて再構成条件を変更して画像データを生成可能な医用画像処理装置を提供することを目的とする。
【課題を解決するための手段】
【００１２】
上記目的を達成するために、この実施形態は、記憶部と、再構成処理部と、抽出部と、解析部とを備えた医用画像処理装置である。記憶部は、少なくとも２つの部位により構成される生体の可動部位をＸ線でスキャンして得られた投影データが記憶する。再構成処理部は、第１のフレームレートで投影データに再構成処理を施して、可動部位の第１の画像データを生成する。抽出部は、第１の画像データから可動部位を構成する各部位を抽出する。解析部は、各タイミングについて可動部位を構成する各部位の位置関係が所定の範囲に含まれるか否かを判断する。また、再構成処理部は、所定の範囲に含まれると判断された第１の画像データに対応するタイミングについて、投影データのうち当該タイミングに対応する範囲の投影データに対して第１のフレームレートとは異なる第２のフレームレートで再構成処理を施すことで第２の画像データを生成する。
【図面の簡単な説明】
【００１３】
【図１Ａ】本実施形態に係る医用画像処理装置の構成を示したブロック図である。
【図１Ｂ】画像処理ユニットの詳細な構成を示したブロック図である。
【図２Ａ】骨の位置関係の解析について説明するための図である。
【図２Ｂ】骨の位置関係の解析について説明するための図である。
【図２Ｃ】骨の位置関係の解析について説明するための図である。
【図２Ｄ】骨の位置関係の解析について説明するための図である。
【図２Ｅ】骨の位置関係の解析について説明するための図である。
【図２Ｆ】骨の位置関係の解析について説明するための図である。
【図３Ａ】本実施形態に係る医用画像処理装置の一連の動作を示したフローチャートである。
【図３Ｂ】第１の実施形態における、位置関係の解析に係る動作を示したフローチャートである。
【図３Ｃ】第２の実施形態における、位置関係の解析に係る動作を示したフローチャートである。
【図４Ａ】被検体の表層に基づく形状の解析について説明するための図である。
【図４Ｂ】被検体の表層に基づく形状の解析について説明するための図である。
【発明を実施するための形態】
【００１４】
（第１の実施形態）
第１の実施形態に係る医用画像処理装置は、Ｘ線ＣＴ装置で取得された投影データに対して再構成を施してボリュームデータを生成し、そのボリュームデータから医用画像を生成する。以降では、本実施形態に係る医用画像処理装置の構成について、Ｘ線ＣＴ装置の構成とあわせて、図１Ａ及び図１Ｂを参照しながら説明する。図１Ａに示すように、本実施形態に係る医用画像表示装置は、Ｘ線撮影部５００（即ち、Ｘ線ＣＴ装置）と連動して動作し、投影データ記憶部１３と、再構成処理部１４と、画像データ記憶部１０と、画像処理ユニット２０と、表示制御部３０と、Ｕ／Ｉ４０とを含んで構成されている。また、Ｕ／Ｉ４０は、表示部４０１と、操作部４０２とを含んで構成されたユーザーインタフェースである。
【００１５】
（Ｘ線撮影部５００）
Ｘ線撮影部５００は、ガントリ１と、高電圧装置７と、Ｘ線コントローラ８と、ガントリ／寝台コントローラ９とを含んで構成される。ガントリ１は、回転リング２と、Ｘ線源（Ｘ線発生部）３と、Ｘ線フィルタ４と、Ｘ線検出器５と、データ収集部１１と、前処理部１２と、スキャン制御部５０１とを含んで構成される。Ｘ線検出器５は、アレイタイプのＸ線検出器である。即ち、Ｘ線検出器５には、チャンネル方向にｍ行、及びスライス方向にｎ列のマトリックス状に検出素子が配列されている。
【００１６】
Ｘ線源３とＸ線検出器５は、回転リング２上に設置され、スライド式寝台６の上に横になった被検体（図示せず）を挟んで対向配置されている。Ｘ線検出器５を構成する各検出素子に各チャンネルが対応付けられている。Ｘ線源３はＸ線フィルタ４を介して被検体に対峙される。Ｘ線コントローラ８からトリガ信号が供給されると、高電圧装置７はＸ線源３を駆動する。高電圧装置７は、トリガ信号を受信するタイミングでＸ線源３に高電圧を印加する。これにより、Ｘ線がＸ線源３で発生され、ガントリ／寝台コントローラ９は、ガントリ１の回転リング２の回転と、スライド式寝台６のスライドを同期的に制御する。
【００１７】
スキャン制御部５０１は、全システムの制御中心を構成し、あらかじめ指定された投影データの取得条件（以降では、「スキャン条件」と呼ぶ場合がある）に基づき、Ｘ線コントローラ８、ガントリ／寝台コントローラ９、スライド式寝台６を制御する。即ち、スキャン制御部５０１は、Ｘ線源３からＸ線を照射している間、被検体の周囲の所定の経路に沿って回転リング２を回転させる。なお、投影データの解像度や分解能は、あらかじめ決められたスキャン条件に基づき決定される。換言すると、要求される解像度や分解能に応じて、スキャン条件があらかじめ決定され、スキャン制御部５０１は、このスキャン条件に基づき各部の動作を制御することになる。このスキャン条件に応じて生成される投影データの分解能（即ち、フレームレート）や解像度により、後述する再構成処理部１４により、再構成される画像データのフレームレートや解像度の最大が決まる。
【００１８】
Ｘ線検出器５を構成する検出素子は、被検体がＸ線源３と検出素子の間に介在する場合、及び、介在しない場合の双方において、Ｘ線源３が発生するＸ線の強度を測定することができる。したがって、各検出素子は、少なくとも１つのＸ線強度を測定し、この強度に対応するアナログ出力信号を出力する。各検出素子からの出力信号は、データ収集部１１により、時分割で列ごとに区別して読出される（つまり、遂次収集される）。
【００１９】
データ収集部１１は、積分アンプと、Ａ／Ｄ変換器とを含んで構成されている。データ収集部１１に含まれる各検出素子からの電気信号は、共通の積分アンプを経由して時分割された後、Ａ／Ｄ変換器によりディジタルデータに変換される。データ収集部１１は、ディジタルデータに変換された検出素子からの信号を前処理部１２に出力する。
【００２０】
前処理部１２は、データ収集部１１から送られてくるディジタルデータに対して感度補正等の処理を施して投影データとする。前処理部１２は、この投影データを、その生成元であるディジタルデータの読出し元である列と対応付けて投影データ記憶部１３に記憶させる。投影データ記憶部１３は、取得された投影データを記憶するための記憶部である。
【００２１】
（再構成処理部１４）
再構成処理部１４は、投影データ記憶部１３に記憶された投影データを読み出す。再構成処理部１４は、例えばＦｅｌｄｋａｍｐ法と呼ばれる再構成アルゴリズムを利用して、読出した投影データを逆投影して画像データ（断層画像データやボリュームデータ）を生成する。断層画像データの再構成には、たとえば、２次元フーリエ変換法、コンボリューション・バックプロジェクション法等、任意の方法を採用することができる。ボリュームデータは、再構成された複数の断層画像データを補間処理することにより作成される。ボリュームデータの再構成には、たとえば、コーンビーム再構成法、マルチスライス再構成法、拡大再構成法等、任意の方法を採用することができる。上述のように多列のＸ線検出器を用いたボリュームスキャンにより、広範囲のボリュームデータを再構成することができる。また、ＣＴ透視を行う場合には、検出データの収集レートを短くしているため、再構成処理部１４による再構成時間が短縮される。従って、スキャンに対応したリアルタイムの画像データを作成することができる。以降では、ボリュームデータを「画像データ」と呼ぶ。
【００２２】
このようにして、再構成処理部１４は、あらかじめ決められた再構成条件に基づき、読み出された投影データに対して再構成処理を施して、この再構成条件に基づくタイミングごとに（即ち、所定のボリュームレートで）、画像データ（即ち、ボリュームデータ）を生成する。なお、画像データの再構成を行うタイミングは、投影データを取得するタイミング（即ち、投影データの取得に係る分解能）に同期している。厳密には、投影データから画像データを生成するための、投影データを取得したタイミングと、そのタイミングに対応する投影データに基づく画像データが再構成されたタイミングとはタイムラグが存在する。しなしながら、この再構成に係る処理は、被検体の動き（例えば、腕や足を動かす動作）に比べて高速であり、本実施形態に係る医用画像処理装置では、このタイムラグは無視できるレベルである。なお、このタイムラグを考慮する場合には、再構成された画像データに基づく処理（例えば、後述する位置解析部２１２の処理）の実行タイミングを、このタイムラグに基づき調整すればよい。
【００２３】
なお、本実施形態に係る再構成処理部１４は、まず解析用の画像データを生成して画像処理ユニット２０に出力し、その後、画像処理ユニット２０から解析結果を受けて、表示用の画像データを生成する。画像処理ユニット２０の詳細については後述する。以下に、この再構成処理部１４の具体的な動作について説明する。なお、再構成される画像データのボリュームレートや解像度の最大は、投影データの分解能（即ち、フレームレート）や解像度となる。そのため、本実施形態に係る医用画像処理装置では、解析用及び表示用の画像データのボリュームレートや解像度を実現可能な条件で、投影データを取得しておく必要がある。
【００２４】
再構成処理部１４は、まず、解析用にあらかじめ決定された再構成条件に基づき、読み出された投影データに対して再構成処理を施して、この再構成条件に基づくタイミングごとに画像データを生成する。なお、本実施形態では、この再構成条件は、投影データ中から被検体中の骨を抽出可能に構成されている。即ち、この画像データは、骨を抽出可能に再構成される。なお、この骨には軟骨も含まれる。また、このときの再構成条件に基づき生成された画像データが「第１の画像データ」に相当する。再構成処理部１４は、このタイミングごとに生成された画像データを画像データ記憶部１０に記憶させる。画像データ記憶部１０は、画像データを記憶するための記憶部である。なお、第１の画像データは、後述する画像処理ユニット２０による解析処理が実行可能な再構成条件であればよい。即ち、この条件を満たしていれば、例えば、第１の画像データのボリュームレートは、表示用の画像データを生成する際のボリュームレートより低くてもよい。また、第１の画像データの解像度は、表示用の画像データの解像度より低くてもよい。このように動作させることで、解析時の処理負荷を軽減することが可能となる。
【００２５】
また、再構成処理部１４は、位置解析部２１２から、複数のタイミングが含まれる時間幅の通知を受ける。この時間幅は、前述した再構成条件に基づき第１の画像データが生成された一連の時間幅の中の一部に相当する。再構成処理部１４は、この通知された時間幅と、他の時間幅とで再構成条件を変えて再構成処理を施し、表示用の画像データを再構成する。これらの再構成条件は、再構成処理部１４にあらかじめ記憶させておいてもよいし、操作者が操作部４０２を介して指定できるようにしてもよい。これらの再構成条件は、例えば、指定された時間幅について、他の時間幅よりもボリュームレートが高くなるように決定しておくとよい。また、これらの再構成条件は、ボリュームレートに限らず、例えば、指定された時間幅について、他の時間幅よりも解像度が高くなるように決定しておいてもよい。なお、指定された時間幅に対する再構成条件に基づき生成された画像データが「第２の画像データ」に相当する。再構成処理部１４は、このタイミングごとに生成された表示用の画像データを画像データ記憶部１０に記憶させる。このように、一部の時間幅について再構成条件を変更して画像データを生成させることで、例えば、経時的に動作する被検体を観察する場合に、一連の動作中の一部（例えば、着目したい一部の動作）について、他の部分よりも高いボリュームレートで画像データを生成することが可能となる。即ち、このようにして経時的に生成された画像データに基づき、この一部について、他の部分よりも高いフレームレートで医用画像を生成し表示させることが可能となる。
【００２６】
なお、他の時間幅について、解析用に生成された第１の画像データを表示用にも用いるように動作させてもよい。例えば、解析用に抽出されたオブジェクトにより観察対象が特定可能であり、ボリュームレートも同じ場合には、改めて表示用に画像データを生成させる必要は無い。このような場合には、再構成処理部１４は、指定された時間幅についてのみ、表示用に画像データを再構成すればよい。換言すると、再構成処理部１４は、表示用の画像データとして、第２の画像データのみを改めて再構成すればよい。また、再構成処理部１４は、指定された時間幅についてのみ表示用の画像データを再構成する（換言すると、指定された時間幅についてのみ表示対象とする）ように動作させてもよい。これらの動作は、運用にあわせて適宜変更すればよい。なお、再構成処理部１４は、解析用の画像データと表示用の画像データとで異なる識別情報を各画像データに付帯させることで、これらを識別可能に画像データ記憶部１０に記憶させてもよい。
【００２７】
（画像処理ユニット２０）
画像処理ユニット２０は、構造抽出部２１と、画像処理部２２と、画像記憶部２３とを含んで構成されている。
【００２８】
（構造抽出部２１）
構造抽出部２１は、オブジェクト抽出部２１１と、位置解析部２１２とを含んで構成されている。構造抽出部２１は、まず、解析用に再構成された第１の画像データをタイミングごとに読み出す。構造抽出部２１は、読み出されたタイミングごとの第１の画像データそれぞれをオブジェクト抽出部２１１に出力し、オブジェクトの抽出を指示する。
【００２９】
オブジェクト抽出部２１１は、タイミングごとの第１の画像データを構造抽出部２１から受ける。本実施形態に係るオブジェクト抽出部２１１は、この第１の画像データ中のボクセルデータに基づき骨の部分をオブジェクトとして抽出する。ここで、図２Ａを参照する。図２Ａは、骨の位置関係の解析について説明するための図であり、腕部を形成する骨のオブジェクトが抽出された場合の一例を示している。図２Ａに示すように、オブジェクト抽出部２１１は、第１の画像データから、腕部を形成する骨のオブジェクトＭ１１、Ｍ１２、及びＭ１３を抽出する。このように、オブジェクト抽出部２１１は、タイミングごとの第１の画像データそれぞれについて、骨のオブジェクトを抽出する。オブジェクト抽出部２１１は、タイミングごとの第１の画像データそれぞれについて抽出された（即ち、タイミングごとに抽出された）骨のオブジェクトを示す情報（例えば、オブジェクトの形状、位置、及び大きさを示す情報）を、対応するタイミングを示す情報と関連付けて位置解析部２１２に出力する。なお、オブジェクト抽出部２１１が、「抽出部」に相当する。
【００３０】
位置解析部２１２は、オブジェクト抽出部２１１から、骨のオブジェクトを示す情報をタイミングごとに受ける。位置解析部２１２は、この情報を基に、各タイミングにおける骨の位置関係を解析する。以下に、その具体的な方法の一例について説明する。
【００３１】
位置解析部２１２は、まず、骨のオブジェクトＭ１１、Ｍ１２、及びＭ１３の中から、位置関係の解析に用いる、少なくとも２以上のオブジェクト（即ち、解析対象のオブジェクト）を特定する。具体的には、例えば、位置解析部２１２は、あらかじめ知られている生体を構成する各部の生体情報（例えば、上腕及び下腕を構成する骨の位置関係を示す情報）を記憶しておき、この生体情報に基づきオブジェクトを特定する。また、別の方法として、位置解析部２１２は、観察対象とするオブジェクトの形状を示す情報をあらかじめ記憶しておき、この形状に一致するオブジェクトを、解析対象のオブジェクトとして特定する。以降では、位置解析部２１２は、オブジェクトＭ１１及びＭ１３を特定したものとして説明する。
【００３２】
解析対象のオブジェクトＭ１１及びＭ１３を特定すると、位置解析部２１２は、これらそれぞれから、少なくとも３点の形状的に特長のある部分（以降では、「形状特徴」と呼ぶ）を抽出する。例えば、図２Ａに示すように、位置解析部２１２は、オブジェクトＭ１１から、形状特徴Ｍ１１１、Ｍ１１２、及びＭ１１３を抽出する。また、位置解析部２１２は、オブジェクトＭ１３から、形状特徴Ｍ１３１、Ｍ１３２、及びＭ１３３を抽出する。
【００３３】
次に、位置解析部２１２は、抽出された３点の形状特徴を示す部分（即ち、点）により、各オブジェクトの位置及び向きを模擬的に把握するための平面を形成し、形状特徴の抽出元であるオブジェクトと関連付ける。ここで、図２Ｂを参照する。図２Ｂは、骨の位置関係の解析について説明するための図であり、オブジェクトＭ１１及びＭ１３のそれぞれから形成された形状特徴に基づき形成された平面を示している。図２Ｂに示すように、位置解析部２１２は、形状特徴Ｍ１１１、Ｍ１１２、及びＭ１１３により平面Ｐ１１を形成し、これをオブジェクトＭ１１と関連付ける。同様にして、位置解析部２１２は、形状特徴Ｍ１３１、Ｍ１３２、及びＭ１３３により平面Ｐ１３を形成し、これをオブジェクトＭ１３と関連付ける。
【００３４】
関節を動かした場合には、関節を構成する複数の骨それぞれの位置及び向きや、それらの相対的な位置関係（以降では、これを総じて単に「位置関係」と呼ぶ）は変化するが、各骨の形状及び大きさは変化しない。即ち、タイミングごとに抽出されたオブジェクトＭ１１及びＭ１３は、時系列に沿って位置関係は変化するが、各オブジェクトの形状及び大きさは変化しない。これは、各オブジェクトの形状特徴に基づき抽出された平面Ｐ１１及びＰ１３についても同様である。本実施形態に係る位置解析部２１２は、この特性を利用して、平面Ｐ１１及びＰ１３それぞれの位置及び向きに基づき、オブジェクトＭ１１及びＭ１３の位置関係を認識する。なお、このように、各オブジェクトから平面を形成することで、そのオブジェクトの位置及び向きを把握するために複雑な形状解析を行う必要が無くなる。そのため、位置解析部２１２がオブジェクトＭ１１及びＭ１３の位置関係を認識するための処理負荷を軽減することが可能となる。
【００３５】
ここで、図２Ｃを参照する。図２Ｃは、骨の位置関係の解析について説明するための図であり、図２Ａ及び図２Ｂで示されたオブジェクトＭ１１及びＭ１３の位置関係を平面Ｐ１１及びＰ１３で表した一例である。位置解析部２１２は、例えば、平面Ｐ１１及びＰ１３の成す角度に基づき、オブジェクトＭ１１及びＭ１３の相対的な位置関係を特定する。また、位置解析部２１２は、角度に替えて、平面Ｐ１１及びＰ１３の間の距離に基づき、オブジェクトＭ１１及びＭ１３の相対的な位置関係を特定してもよい。なお、以降では、位置解析部２１２は、平面Ｐ１１及びＰ１３に基づき、オブジェクトＭ１１及びＭ１３の位置関係を特定するものとして説明する。
【００３６】
このようにして、位置解析部２１２は、タイミングごとに抽出された平面Ｐ１１及びＰ１３を基に、それらの各タイミングにおけるオブジェクトＭ１１及びＭ１３の位置関係を特定する。ここで、図２Ｄを参照する。図２Ｄは、骨の位置関係の解析について説明するための図であり、複数タイミングにおける平面Ｐ１１及びＰ１３の位置関係を表した一例である。なお、図２Ｄの例では、説明をわかりやすくするために、平面Ｐ１１（即ち、オブジェクトＭ１１）の位置及び向きが変わっていないものとして、タイミングごとの平面Ｐ１３の位置及び向きの変化を示している。図２Ｄにおける、Ｐ１３ａ〜Ｐ１３ｄは、異なるタイミングそれぞれに対応する平面Ｐ１３を示している。
【００３７】
なお、位置解析部２１２は、オブジェクトＭ１１及びＭ１３の位置関係を特定可能であれば、上記で示した平面Ｐ１１及びＰ１３に基づく方法に限定はされない。例えば、オブジェクトＭ１１及びＭ１３それぞれの外形を基に、各オブジェクトの位置及び向きを特定し、双方の相対的な位置関係を特定してもよい。その場合は、位置解析部２１２は、３次元的な位置関係を特定する。また、２次元的な位置関係を特定すればよい場合には、少なくとも２点の形状特徴に基づく線を、オブジェクトＭ１１及びＭ１３それぞれについて抽出し、抽出された２つの線に基づき位置関係を特定してもよい。例えば、図２Ｃ及び図２Ｄに示すように、線Ｐ１１１は、形状特徴Ｍ１１１及びＭ１１３に基づき抽出される。また、線Ｐ１３１は、形状特徴Ｍ１３２及びＭ１３３に基づき抽出される。位置解析部２１２は、このようにして抽出された線Ｐ１１１及びＰ１１３により、オブジェクトＭ１１及びＭ１３の２次元的な位置関係を特定することができる。また、Ｍｕｔｕａｌ  Ｉｎｆｏｒｍａｔｉｏｎを使ってオブジェクトを構成するボクセルの画素値情報を基に、オブジェクト自体の位置合わせを行って、位置や方向を特定してもよい。例えば、画素値情報（濃淡を示す情報）の分布に基づきオ、ブジェクトの位置や向きを特定することができる。
【００３８】
一連のタイミングについて、オブジェクトＭ１１及びＭ１３の位置関係が特定されると、位置解析部２１２は、特定された位置関係が所定の範囲に含まれるか（あらかじめ決められた条件を満たすか）否かを判断し、その範囲に含まれるタイミングを特定する。この所定の範囲は、例えば、観察対象の一連の動きのうち、着目したい位置関係に基づき、あらかじめ決定しておけばよい。位置解析部２１２は、特定されたタイミングにより形成される時間幅（換言すると、オブジェクトＭ１１及びＭ１３の位置関係が所定の条件を満たす時間幅）を特定する。以下に、この時間幅の特定に係る処理について、図２Ｅを参照しながら具体的な例をあげて説明する。図２Ｅは、位置解析部２１２により特定された時間幅について説明するための図である。
【００３９】
図２Ｅにおける平面Ｐ１３ｅ、Ｐ１３ｆ、Ｐ１３ｇは、オブジェクトＭ１１及びＭ１３の位置関係が所定の範囲に含まれる場合の、オブジェクトＭ１３に対応する平面Ｐ１３の位置をそれぞれ示している。即ち、平面Ｐ１３ｆに対応するタイミングから平面Ｐ１３ｇに対応するタイミングまでで形成される時間幅Ｔ２１において、オブジェクトＭ１１及びＭ１３の位置関係が所定の範囲に含まれることを示している。位置解析部２１２は、この時間幅Ｔ２１を特定する。なお、図２ＥにおけるＴ１１及びＴ１２は、一連の時間幅のうちの時間幅Ｔ２１以外の時間幅を示している。なお、以降の説明では、位置解析部２１２は、図２Ｅに示した時間幅Ｔ２１を特定したものとして説明する。
【００４０】
なお、平面Ｐ１１及びＰ１３の成す角度に基づき位置関係を特定している場合には、位置解析部２１２は、その角度が、あらかじめ決められた角度の条件を満たすか否かを判断し、条件を満たす角度に対応するタイミングを特定する。この範囲は、絶対値としてあらかじめ位置解析部２１２に記憶させておけばよい。
【００４１】
また、位置解析部２１２が、タイミングごとの骨のオブジェクトを示す情報を元に、各オブジェクトの可動範囲を特定し、この可動範囲に対する相対的な範囲を特定してもよい。この場合には、その範囲の基準となる角度（絶対値）を、あらかじめ位置解析部２１２に記憶させておく。位置解析部２１２は、この基準に相当するタイミングを特定し、特定されたタイミングを含む所定幅の範囲を特定すればよい。例えば、図２Ｅにおける平面Ｐ１３ｅが、この基準となる角度の条件を満たしている場合には、位置解析部２１２は、まず、この平面Ｐ１３ｅを特定する。そのうえで、位置解析部２１２は、平面Ｐ１３ｅを基準として、所定幅の範囲を形成する平面Ｐ１３ｆ及びＰ１３ｇを特定し、これらの平面に対応するタイミングで形成される時間幅Ｔ２１を特定すればよい。
【００４２】
また、操作部４０２を介して操作者が、時間幅Ｔ２１を特定するための基準となるタイミングを指定してもよい。この場合には、構造抽出部２１は、一連の第１の画像データを画像処理部２２に出力して各タイミングについて医用画像を生成させ、表示制御部３０を介して表示部４０１に表示させる。操作部４０２は、表示された画像データのうちから基準となる医用画像の選択を操作者から受けて、その医用画像に対応するタイミングを位置解析部２１２に通知する。この通知を受けて、位置解析部２１２は、通知されたタイミングを基に時間幅Ｔ２１を特定すればよい。
【００４３】
また、投影データの取得中に、時間幅Ｔ２１を特定するための基準となるタイミングを指定し、そのタイミングを示す情報をその投影データ中に付帯しておくことで、その情報に基づき基準を特定してもよい。具体的には、例えば、投影データの取得中に、マイクやカメラなどの外部機器により被検体の反応を監視し、被検体が所定の反応（例えば、声を発する等）を示したときにこれを検知し、そのタイミングを示す情報を投影データ中に付帯しておく。再構成処理部１４は、投影データを再構成して解析用の第１の画像データを生成する際に、そのタイミングを含むタイミングに対応する画像データに対して、他の画像データと識別可能に情報を付帯しておく。これにより、位置解析部２１２は、時間幅Ｔ２１を特定するための基準となるタイミングを特定することが可能となる。
【００４４】
また、骨の位置関係が解析可能であれば、必ずしも図２Ａ〜図２Ｃに示すように、上腕及び下腕のように各骨の全体像が撮影されている必要は無い。例えば、図２Ｆは、上腕と下腕と間の関節部分を示しており、この例は、オブジェクトＭ１２及びＭ１３を解析対象として特定している。この場合には、位置解析部２１２は、オブジェクトＭ１２から、形状特徴Ｍ１２１、Ｍ１２２、及びＭ１２３を抽出する。また、位置解析部２１２は、オブジェクトＭ１３から、形状特徴Ｍ１３４、Ｍ１３５、及びＭ１３６を抽出する。位置解析部２１２は、形状特徴Ｍ１２１、Ｍ１２２、及びＭ１２３で形成された平面Ｐ１２を抽出し、これをオブジェクトＭ１２と関連付ける。同様にして、位置解析部２１２は、形状特徴Ｍ１３４、Ｍ１３５、及びＭ１３６で形成された平面Ｐ１３’を抽出し、これをオブジェクトＭ１３と関連付ける。以降、位置解析部２１２は、平面Ｐ１２及びＰ１３’の位置関係に基づき、オブジェクトＭ１２及びＭ１３の位置関係を認識する。このように、形状特徴に基づき、各骨の位置及び向きと相対的な位置関係を認識できれば、図２Ｆのように、各部位の全体像が撮影されていない場合においても前述と同様に処理することが可能である。
【００４５】
位置解析部２１２は、特定された時間幅Ｔ２１を再構成処理部１４に通知する。再構成処理部１４は、通知された時間幅Ｔ２１と、他の時間幅Ｔ１１及びＴ１２とで再構成条件を変えて再構成処理を施し、表示用の画像データを再構成条件に基づくタイミングごとに再構成する。このとき再構成処理部１４は、例えば、オブジェクトＭ１１及びＭ１３の位置関係が所定の範囲に含まれる時間幅Ｔ２１について、他の時間幅Ｔ１１及びＴ１２よりもボリュームレートが高くなるように再構成処理を施す。これにより、時間幅Ｔ２１について、他の時間幅Ｔ１１及びＴ１２よりも高いフレームレートで医用画像を生成し表示させることが可能となる。また、再構成処理部１４は、ボリュームレートに限らず、例えば、時間幅Ｔ２１について、他の時間幅Ｔ１１及びＴ１２よりも高い解像度で再構成処理を施してもよい。このように、再構成処理部１４は、時間幅Ｔ２１と他の時間幅Ｔ１１及びＴ１２とを区別して、それぞれについて異なる再構成条件で表示用の画像データを再構成することが可能となる。
【００４６】
再構成処理部１４は、再構成された表示用の一連の画像データを画像データ記憶部１０に記憶させる。なお、位置解析部２１２が、「解析部」に相当する。
【００４７】
このように一連のタイミングについてオブジェクトＭ１１及びＭ１３の位置関係の解析が終了し、表示用に再構成された一連の画像データが画像データ記憶部１０に記憶されると、構造抽出部２１は、これらを読み出して画像処理部２２に転送する。なお、時間幅Ｔ１１及びＴ１２については、解析用に生成された第１の画像データを表示用にも用いるように動作させてもよい。この場合には、位置解析部２１２は、特定された時間幅Ｔ２１に対応する第２の画像データのみを画像データ記憶部１０から読み出す。そして、位置解析部２１２は、既に、解析用に読み出されている一連の第１の画像データのうち、時間幅Ｔ２１に対応する部分を、読み出された第２の画像データで置き換え、これらの一連の画像データを画像処理部２２に転送すればよい。
【００４８】
（画像処理部２２）
画像処理部２２は、所定のタイミングごとに再構成された一連の画像データを構造抽出部２１から受ける。画像処理部２２は、あらかじめ決められた画像処理条件に基づき、タイミングごとの画像データそれぞれに対して画像処理を施すことで医用画像をそれぞれ生成する。画像処理部２２は、生成された医用画像と、生成元の画像データに対応するタイミングを示す情報と関連付けて画像記憶部２３に記憶させる。画像記憶部２３は、医用画像を記憶するための記憶部である。
【００４９】
（表示制御部３０）
一連のタイミングについて医用画像が生成されると、表示制御部３０は、画像記憶部２３に記憶された一連の医用画像を読み出す。表示制御部３０は、読み出された各医用画像に付帯されたタイミングを示す情報を参照し、これらの一連の医用画像を時系列に沿って並べて動画を生成する。表示制御部３０は、生成された動画を表示部４０１に表示させる。
【００５０】
次に、図３Ａ及び図３Ｂを参照しながら、本実施形態に係る医用画像処理装置の一連の動作について説明する。図３Ａは、本実施形態に係る医用画像処理装置の一連の動作を示したフローチャートである。また、図３Ｂは、本実施形態における、位置関係の解析に係る動作を示したフローチャートである。なお、図３Ｂに示すフローチャートは、図３ＡにおけるステップＳ２０の処理に相当する。
【００５１】
（ステップＳ１０）
まず、図３Ａを参照する。再構成処理部１４は、投影データ記憶部１３に記憶された投影データを読み出す。再構成処理部１４は、まず、解析用にあらかじめ決定された再構成条件に基づき、読み出された投影データに対して再構成処理を施して、この再構成条件に基づくタイミングごとに第１の画像データを生成する。再構成処理部１４は、このタイミングごとに生成された第１の画像データを画像データ記憶部１０に記憶させる。なお、第１の画像データは、後述する画像処理ユニット２０による解析処理が実行可能な再構成条件であればよい。即ち、この条件を満たしていれば、例えば、第１の画像データのボリュームレートは、表示用の画像データを生成する際のボリュームレートより低くてもよい。また、第１の画像データの解像度は、表示用の画像データの解像度より低くてもよい。このように動作させることで、解析時の処理負荷を軽減することが可能となる。
【００５２】
（ステップＳ２０１）
次に、図３Ｂを参照する。構造抽出部２１は、まず、解析用に再構成された第１の画像データをタイミングごとに読み出す。構造抽出部２１は、読み出されたタイミングごとの第１の画像データそれぞれをオブジェクト抽出部２１１に出力し、オブジェクトの抽出を指示する。
【００５３】
オブジェクト抽出部２１１は、タイミングごとの第１の画像データを構造抽出部２１から受ける。本実施形態に係るオブジェクト抽出部２１１は、この第１の画像データ中のボクセルデータに基づき骨の部分をオブジェクトとして抽出する。ここで、図２Ａを参照する。図２Ａに示すように、オブジェクト抽出部２１１は、第１の画像データから、腕部を形成する骨のオブジェクトＭ１１、Ｍ１２、及びＭ１３を抽出する。このように、オブジェクト抽出部２１１は、タイミングごとの第１の画像データそれぞれについて、骨のオブジェクトを抽出する。オブジェクト抽出部２１１は、タイミングごとの第１の画像データそれぞれについて抽出された骨のオブジェクトを示す情報を、対応するタイミングを示す情報と関連付けて位置解析部２１２に出力する。
【００５４】
（ステップＳ２０２）
位置解析部２１２は、オブジェクト抽出部２１１から、骨のオブジェクトを示す情報をタイミングごとに受ける。位置解析部２１２は、骨のオブジェクトＭ１１、Ｍ１２、及びＭ１３の中から、位置関係の解析に用いる、少なくとも２以上のオブジェクト（即ち、解析対象のオブジェクト）を特定する。以降では、位置解析部２１２は、オブジェクトＭ１１及びＭ１３を特定したものとして説明する。
【００５５】
解析対象のオブジェクトＭ１１及びＭ１３を特定すると、位置解析部２１２は、これらそれぞれから、少なくとも３点の形状的に特長のある部分（以降では、「形状特徴」と呼ぶ）を抽出する。例えば、図２Ａに示すように、位置解析部２１２は、オブジェクトＭ１１から、形状特徴Ｍ１１１、Ｍ１１２、及びＭ１１３を抽出する。また、位置解析部２１２は、オブジェクトＭ１３から、形状特徴Ｍ１３１、Ｍ１３２、及びＭ１３３を抽出する。
【００５６】
次に、位置解析部２１２は、抽出された３点の形状特徴を示す部分（即ち、点）により、各オブジェクトの位置及び向きを模擬的に把握するための平面を形成し、形状特徴の抽出元であるオブジェクトと関連付ける。ここで、図２Ｂを参照する。図２Ｂは、骨の位置関係の解析について説明するための図であり、オブジェクトＭ１１及びＭ１３のそれぞれから形成された形状特徴に基づき形成された平面を示している。図２Ｂに示すように、位置解析部２１２は、形状特徴Ｍ１１１、Ｍ１１２、及びＭ１１３により平面Ｐ１１を形成し、これをオブジェクトＭ１１と関連付ける。同様にして、位置解析部２１２は、形状特徴Ｍ１３１、Ｍ１３２、及びＭ１３３により平面Ｐ１３を形成し、これをオブジェクトＭ１３と関連付ける。
【００５７】
ここで、図２Ｃを参照する。図２Ｃは、骨の位置関係の解析について説明するための図であり、図２Ａ及び図２Ｂで示されたオブジェクトＭ１１及びＭ１３の位置関係を平面Ｐ１１及びＰ１３で表した一例である。位置解析部２１２は、例えば、平面Ｐ１１及びＰ１３の成す角度に基づき、オブジェクトＭ１１及びＭ１３の相対的な位置関係を特定する。また、位置解析部２１２は、角度に替えて、平面Ｐ１１及びＰ１３の間の距離に基づき、オブジェクトＭ１１及びＭ１３の相対的な位置関係を特定してもよい。なお、以降では、位置解析部２１２は、平面Ｐ１１及びＰ１３に基づき、オブジェクトＭ１１及びＭ１３の位置関係を特定するものとして説明する。
【００５８】
（ステップＳ２０３）
このようにして、位置解析部２１２は、タイミングごとに抽出された平面Ｐ１１及びＰ１３を基に、それらの各タイミングにおけるオブジェクトＭ１１及びＭ１３の位置関係を特定する。オブジェクトＭ１１及びＭ１３の位置関係を特定していないタイミングがある場合（ステップＳ２０３、Ｎ）には、位置解析部２１２は、そのタイミングについてオブジェクトＭ１１及びＭ１３の位置関係を特定する。
【００５９】
（ステップＳ２０４）
一連のタイミングについて、オブジェクトＭ１１及びＭ１３の位置関係が特定されると（ステップＳ２０３、Ｙ）、位置解析部２１２は、特定された位置関係が所定の範囲に含まれるか（あらかじめ決められた条件を満たすか）否かを判断し、その範囲に含まれるタイミングを特定する。この所定の範囲は、例えば、観察対象の一連の動きのうち、着目したい位置関係に基づき、あらかじめ決定しておけばよい。位置解析部２１２は、特定されたタイミングにより形成される時間幅（換言すると、オブジェクトＭ１１及びＭ１３の位置関係が所定の条件を満たす時間幅）を特定する。なお、以降の説明では、位置解析部２１２は、図２Ｅに示した時間幅Ｔ２１を特定したものとして説明する。位置解析部２１２は、特定された時間幅Ｔ２１を再構成処理部１４に通知する。
【００６０】
（ステップＳ３１）
ここで、図３Ａを参照する。再構成処理部１４は、通知された時間幅Ｔ２１と、他の時間幅Ｔ１１及びＴ１２とで再構成条件を変えて再構成処理を施し、表示用の画像データを再構成条件に基づくタイミングごとに再構成する。再構成処理部１４は、再構成された表示用の一連の画像データを画像データ記憶部１０に記憶させる。
【００６１】
このように一連のタイミングについてオブジェクトＭ１１及びＭ１３の位置関係の解析が終了し、表示用に再構成された一連の画像データが画像データ記憶部１０に記憶されると、構造抽出部２１は、これらを読み出して画像処理部２２に転送する。
【００６２】
（ステップＳ３２）
画像処理部２２は、所定のタイミングごとに再構成された一連の画像データを構造抽出部２１から受ける。画像処理部２２は、あらかじめ決められた画像処理条件に基づき、タイミングごとの画像データそれぞれに対して画像処理を施すことで医用画像をそれぞれ生成する。画像処理部２２は、生成された医用画像と、生成元の画像データに対応するタイミングを示す情報と関連付けて画像記憶部２３に記憶させる。
【００６３】
（ステップＳ３３）
このようにして、画像処理部２２は、各タイミングに対応する画像データに対して画像処理を施し医用画像を生成する。医用画像が生成されていないタイミングがある場合（ステップＳ３３、Ｎ）には、画像処理部２２は、そのタイミングについて医用画像を生成する。
【００６４】
（ステップＳ３４）
一連のタイミングについて医用画像が生成されると（ステップＳ３３、Ｙ）、表示制御部３０は、画像記憶部２３に記憶された一連の医用画像を読み出す。表示制御部３０は、読み出された各医用画像に付帯されたタイミングを示す情報を参照し、これらの一連の医用画像を時系列に沿って並べて動画を生成する。表示制御部３０は、生成された動画を表示部４０１に表示させる。
【００６５】
以上のように、本実施形態に係る医用画像処理装置は、関節などのように、経時的に連動する少なくとも２つ以上の部位の位置関係の変化を、それらの部位に対応する骨のオブジェクトにより解析する。そのうえで、医用画像処理装置は、これらの部位に対応する骨のオブジェクトの位置関係が所定の範囲に含まれる時間幅を特定し、この時間幅と、他の時間幅とで再構成条件を変えて再構成処理を施し、表示用の画像データを再構成する。これにより、本実施形態に係る医用画像処理装置は、２つ以上の部位の位置関係が所定の範囲に含まれる時間幅について、他の時間幅よりも高いフレームレートで医用画像を表示させることが可能となる。
【００６６】
（第２の実施形態）
次に、第２の実施形態に係る医用画像表示装置ついて説明する。第１の実施形態に係る医用画像表示装置では、骨のオブジェクトの位置関係に基づき再構成条件を変更する時間幅を特定していた。本実施形態に係る医用画像処理装置では、被検体の外形の形状変化に基づき再構成条件を変更する時間幅を特定する。以下に、本実施形態に係る医用画像処理装置について、第１の実施形態とは異なる部分に着目して説明する。
【００６７】
本実施形態に係る再構成処理部１４は、まず、解析用にあらかじめ決定された再構成条件に基づき、読み出された投影データに対して再構成処理を施して、この再構成条件に基づくタイミングごとに画像データを生成する。なお、本実施形態では、この再構成条件は、投影データ中から被検体の表層（即ち、皮膚）を抽出可能に構成されている。具体的には、この再構成条件は、再構成の対象とするＣＴ値の範囲を、表層が抽出できるレベルに調整されている。これにより、この画像データは、表層を抽出可能に再構成される。なお、このときの再構成条件に基づき生成された画像データが「第１の画像データ」に相当する。再構成処理部１４は、このタイミングごとに生成された画像データを画像データ記憶部１０に記憶させる。このような、画像データから被検体の表層を抽出することで、抽出された表層を基に、被検体の外形を認識することが可能となる。本実施形態では、このように再構成された被検体の表層を基に、複数のタイミング間における被検体の外形の形状変化を解析し、その外形の形状が所定の範囲に含まれるか否かで表示用の画像データの再構成条件を変更する。
【００６８】
なお、本実施形態に係る再構成処理部１４の、表示用の画像データの再構成に係る処理は、第１の実施形態に係る再構成処理部１４の動作と同様である。即ち、再構成処理部１４は、位置解析部２１２から、複数タイミングが含まれる時間幅Ｔ２１の通知を受ける。再構成処理部１４は、通知された時間幅Ｔ２１と、他の時間幅Ｔ１１及びＴ１２とで再構成条件を変えて再構成処理を施し、表示用の画像データを再構成して、これを画像データ記憶部１０に記憶させる。
【００６９】
構造抽出部２１は、まず、解析用に再構成された第１の画像データをタイミングごとに読み出す。構造抽出部２１は、読み出されたタイミングごとの第１の画像データそれぞれをオブジェクト抽出部２１１に出力し、オブジェクトの抽出を指示する。この構造抽出部２１の動作は、第１の実施形態と同様である。
【００７０】
オブジェクト抽出部２１１は、タイミングごとの第１の画像データを構造抽出部２１から受ける。本実施形態に係るオブジェクト抽出部２１１は、この第１の画像データ中のボクセルデータに基づき、被検体の表層を検出し、検出された表層により形成される領域のオブジェクトを抽出する。このオブジェクトが、被検体の外形の形状を示している。以降では、このオブジェクトを外形オブジェクトと呼ぶ場合がある。ここで、図４Ａ及び図４Ｂを参照する。図４Ａ及び図４Ｂは、被検体の表層に基づく形状の解析について説明するための図である。図４Ａ及び図４Ｂは、上腕と下腕との間の関節部分を示しており、それぞれが異なるタイミングに対応している。図４ＡにおけるオブジェクトＭ１１〜Ｍ１３は、骨のオブジェクトを示しており、Ｍ２１ａは、外形オブジェクトを示している。また、図４ＢにおけるオブジェクトＭ１１〜Ｍ１３は、骨のオブジェクトを示しており、図４ＡにおけるオブジェクトＭ１１〜Ｍ１３に対応している。また、図４ＢにおけるＭ２１ｂは、図４Ａとは異なるタイミングにおける外形オブジェクトを示しており、関節の動きにより、オブジェクトＭ２１ａとは異なる形状を示している。
【００７１】
オブジェクト抽出部２１１は、タイミングごとの第１の画像データそれぞれについて抽出された（即ち、タイミングごとに抽出された）外形オブジェクトを示す情報（例えば、オブジェクトの形状、位置、及び大きさを示す情報）を、対応するタイミングを示す情報と関連付けて位置解析部２１２に出力する。
【００７２】
位置解析部２１２は、オブジェクト抽出部２１１から、外形オブジェクトを示す情報をタイミングごとに受ける。位置解析部２１２は、この情報を基に、時系列に沿った外形の形状の変化を解析する。以下に、その具体的な方法の一例について説明する。
【００７３】
まず、位置解析部２１２は、タイミングごとの外形オブジェクトの中から基準となるオブジェクトを特定する。この基準となるオブジェクトの特定方法の具体的な一例として、位置解析部２１２は、タイミングごとの外形オブジェクトそれぞれの形状を解析し、所定の形状の（所定の条件を見たす）オブジェクトを特定する。この所定の形状のオブジェクトを特定する場合には、例えば、位置解析部２１２は、基準となる形状を示すオブジェクトの情報をあらかじめ記憶し、これをタイミングごとの外形オブジェクトそれぞれと比較することで特定する。この比較は、オブジェクトの外形の形状比較により行ってもよいし、複数の形状特徴を抽出して、これらの比較により特定してもよい。また、上腕及び下腕に対応する部分の軸を抽出し、この軸を比較することにより特定してもよい。
【００７４】
また、操作部４０２を介して操作者が、基準となる外形オブジェクトを指定してもよい。この場合には、構造抽出部２１は、一連の第１の画像データを画像処理部２２に出力して各タイミングについて医用画像を生成させ、表示制御部３０を介して表示部４０１に表示させる。操作部４０２は、表示された画像データのうちから基準となる医用画像の選択を操作者から受けて、その医用画像に対応するタイミングを位置解析部２１２に通知する。この通知を受けて、位置解析部２１２は、通知されたタイミングに対応する外形オブジェクトを特定すればよい。なお、以降では、この基準となる外形オブジェクトを「基準オブジェクト」と呼ぶ場合がある。
【００７５】
基準オブジェクトを特定したら、位置解析部２１２は、この基準オブジェクトと、タイミングごとの外形オブジェクトと基準オブジェクトとの間で比較を行い、オブジェクト間の変化量をタイミングごとに算出する。具体的には、位置解析部２１２は、双方のオブジェクトの形状を比較し、その差（例えば、オブジェクト間で重複しない部分のピクセル数）を変化量として算出する。また、別の方法として、位置解析部２１２は、例えば、上腕と下腕のそれぞれから軸を抽出し、この軸の位置関係（例えば、角度や距離）を基に変化量を求めてもよい。
【００７６】
タイミングごとに変化量を算出したら、位置解析部２１２は、その変化量が、あらかじめ決められた量（以降では、「所定量」と呼ぶ）以内か否かを判断し、変化量が所定量以内のタイミングにより形成される時間幅を特定する。この所定量は、例えば、観察対象の一連の動きのうち、基準オブジェクトを基点として着目したい可動範囲に基づき、あらかじめ決定しておけばよい。この時間幅が、第１の実施形態における時間幅Ｔ２１（図２Ｅ参照）に相当し、その他が時間幅Ｔ１１及びＴ１２に相当する。以降では、位置解析部２１２は、この時間幅Ｔ２１を特定したものとして説明する。位置解析部２１２は、特定された時間幅Ｔ２１を再構成処理部１４に通知する。
【００７７】
なお、以降の処理は、第１の実施形態と同様である。即ち、再構成処理部１４は、通知された時間幅Ｔ２１と、他の時間幅Ｔ１１及びＴ１２とで再構成条件を変えて再構成処理を施して、表示用の画像データを再構成条件に基づくタイミングごとに再構成する。再構成処理部１４は、再構成された表示用の一連の画像データを画像データ記憶部１０に記憶させる。画像処理部２２は、これらの画像データに対して画像処理を施して医用画像を生成し、これを対応するタイミングを示す情報と関連付けて画像記憶部２３に記憶させる。表示制御部３０は、これらの医用画像を画像記憶部２３から読み出し、時系列に沿って並べて動画として表示部４０１に表示させる。
【００７８】
次に、図３Ａ及び図３Ｃを参照しながら、本実施形態に係る医用画像処理装置の一連の動作について説明する。図３Ｃは、本実施形態における、位置関係の解析に係る動作を示したフローチャートである。なお、図３Ｃに示すフローチャートは、図３ＡにおけるステップＳ２０の処理に相当する。また、図３ＡにおけるステップＳ１０及びステップＳ２０に係る処理以外は、第１の実施形態と同様である。そのため、第１の実施形態と異なるステップＳ１０と、ステップＳ２０に係る処理、即ち、図３Ｃに示したステップＳ２１１〜Ｓ２１４に係る処理とに着目して説明する。
【００７９】
（ステップＳ１０）
再構成処理部１４は、まず、解析用にあらかじめ決定された再構成条件に基づき、読み出された投影データに対して再構成処理を施して、この再構成条件に基づくタイミングごとに画像データを生成する。なお、本実施形態では、この再構成条件は、投影データ中から被検体の表層（即ち、皮膚）を抽出可能に構成されている。具体的には、この再構成条件は、再構成の対象とするＣＴ値の範囲を、表層が抽出できるレベルに調整されている。これにより、この画像データは、表層を抽出可能に再構成される。再構成処理部１４は、このタイミングごとに生成された画像データを画像データ記憶部１０に記憶させる。
【００８０】
（ステップＳ２１１）
構造抽出部２１は、まず、解析用に再構成された第１の画像データをタイミングごとに読み出す。構造抽出部２１は、読み出されたタイミングごとの第１の画像データそれぞれをオブジェクト抽出部２１１に出力し、オブジェクトの抽出を指示する。この構造抽出部２１の動作は、第１の実施形態と同様である。
【００８１】
オブジェクト抽出部２１１は、タイミングごとの第１の画像データを構造抽出部２１から受ける。本実施形態に係るオブジェクト抽出部２１１は、この第１の画像データ中のボクセルデータに基づき、被検体の表層を検出し、検出された表層により形成される領域のオブジェクトを抽出する。このオブジェクトが、被検体の外形の形状を示している。以降では、このオブジェクトを外形オブジェクトと呼ぶ場合がある。オブジェクト抽出部２１１は、タイミングごとの第１の画像データそれぞれについて抽出された（即ち、タイミングごとに抽出された）外形オブジェクト（例えば、図４Ａ及び図４ＢにおけるオブジェクトＭ２１ａ及びＭ２１ｂ）を示す情報を、対応するタイミングを示す情報と関連付けて位置解析部２１２に出力する。
【００８２】
（ステップＳ２１２）
位置解析部２１２は、オブジェクト抽出部２１１から、外形オブジェクトを示す情報をタイミングごとに受ける。位置解析部２１２は、この情報を基に、時系列に沿った外形の形状の変化を解析する。具体的には、まず、位置解析部２１２は、タイミングごとの外形オブジェクトの中から基準となるオブジェクトを特定する。この基準となるオブジェクトの特定方法の具体的な一例として、位置解析部２１２は、タイミングごとの外形オブジェクトそれぞれの形状を解析し、所定の形状の（所定の条件を見たす）オブジェクトを特定する。
【００８３】
基準オブジェクトを特定したら、位置解析部２１２は、この基準オブジェクトと、タイミングごとの外形オブジェクトと基準オブジェクトとの間で比較を行い、オブジェクト間の変化量をタイミングごとに算出する。具体的には、位置解析部２１２は、双方のオブジェクトの形状を比較し、その差（例えば、オブジェクト間で重複しない部分のピクセル数）を変化量として算出する。
【００８４】
（ステップＳ２１３）
変化量が算出されていないタイミングがある場合（ステップＳ２１３、Ｎ）には、位置解析部２１２は、そのタイミングに対応する外形オブジェクトを基準オブジェクトと比較し変化量を算出する。
【００８５】
（ステップＳ２１４）
タイミングごとに変化量を算出したら（ステップＳ２１３、Ｙ）、位置解析部２１２は、その変化量が、あらかじめ決められた量（以降では、「所定量」と呼ぶ）以内か否かを判断し、変化量が所定量以内のタイミングにより形成される時間幅を特定する。この時間幅が、第１の実施形態における時間幅Ｔ２１（図２Ｅ参照）に相当し、その他が時間幅Ｔ１１及びＴ１２に相当する。以降では、位置解析部２１２は、この時間幅Ｔ２１を特定したものとして説明する。位置解析部２１２は、特定された時間幅Ｔ２１を再構成処理部１４に通知する。
【００８６】
なお、以降の処理は、第１の実施形態と同様である。即ち、再構成処理部１４は、通知された時間幅Ｔ２１と、他の時間幅Ｔ１１及びＴ１２とで再構成条件を変えて再構成処理を施して、表示用の画像データを再構成条件に基づくタイミングごとに再構成する。再構成処理部１４は、再構成された表示用の一連の画像データを画像データ記憶部１０に記憶させる。画像処理部２２は、これらの画像データに対して画像処理を施して医用画像を生成し、これを対応するタイミングを示す情報と関連付けて画像記憶部２３に記憶させる。表示制御部３０は、これらの医用画像を画像記憶部２３から読み出し、時系列に沿って並べて動画として表示部４０１に表示させる。
【００８７】
以上のように、本実施形態に係る医用画像処理装置は、関節などのように、経時的に連動する少なくとも２つ以上の部位の位置関係の変化を、被検体の外形の形状変化により解析する。そのうえで、医用画像処理装置は、形状の変化量が、所定の範囲に含まれる時間幅を特定する。これにより、本実施形態に係る医用画像処理装置は、第１の実施形態と同様に、２つ以上の部位の位置関係が所定の範囲に含まれる時間幅について、他の時間幅よりも高いフレームレートで医用画像を表示させることが可能となる。
【００８８】
（第３の実施形態）
次に、第３の実施形態に係る医用画像処理装置について説明する。第１及び第２の実施形態では、例えば、被検体の関節があらかじめ決められた形状になった場合を基準として、再構成条件を変更する時間幅を特定していた。本実施形態に係る医用画像処理装置では、単位時間あたりの変化量に応じて再構成条件を変更する時間幅を特定する。具体的に例をあげて説明すると、関節等の観察対象の動きの速さは常に一定ではなく、一連の動作を同じフレームレートで表示させた場合には、観察対象が速く動くタイミングでは、観察対象の細かい動きが観察しづらい場合がある。そこで、本実施形態に係る医用画像処理装置は、観察対象（例えば、関節を構成する各部位）が速く動いている時間幅について、他の時間幅よりも高いボリュームレートで再構成する。このような構成とすることで、観察対象が速く動く場合に、フレームレートを高くすることで細かい動きを観察可能に表示させることが可能となる。以降では、本実施形態に係る医用画像処理装置の構成について、第１の実施形態とは異なる部分に着目して説明する。
【００８９】
再構成処理部１４は、まず、解析用にあらかじめ決定された再構成条件に基づき、読み出された投影データに対して再構成処理を施して、この再構成条件に基づくタイミングごとに画像データを生成する。ここでは、第１の実施形態と同様に、この再構成条件は、投影データ中から被検体中の骨を抽出可能に構成されているものとして説明する。再構成処理部１４は、このタイミングごとに生成された画像データを画像データ記憶部１０に記憶させる。
【００９０】
なお、本実施形態に係る再構成処理部１４の、表示用の画像データの再構成に係る処理は、第１の実施形態に係る再構成処理部１４の動作と同様である。即ち、再構成処理部１４は、位置解析部２１２から、複数タイミングが含まれる時間幅Ｔ２１の通知を受ける。再構成処理部１４は、通知された時間幅Ｔ２１と、他の時間幅Ｔ１１及びＴ１２とで再構成条件を変えて再構成処理を施し、表示用の画像データを再構成して、これを画像データ記憶部１０に記憶させる。
【００９１】
構造抽出部２１は、まず、解析用に再構成された第１の画像データをタイミングごとに読み出す。構造抽出部２１は、読み出されたタイミングごとの第１の画像データそれぞれをオブジェクト抽出部２１１に出力し、オブジェクトの抽出を指示する。この指示を受けて、オブジェクト抽出部２１１は、この第１の画像データ中のボクセルデータに基づき骨のオブジェクトを抽出する。オブジェクト抽出部２１１は、タイミングごとの第１の画像データそれぞれについて抽出された骨のオブジェクトを示す情報を、対応するタイミングを示す情報と関連付けて位置解析部２１２に出力する。この構造抽出部２１及びオブジェクト抽出部２１１の動作は、第１の実施形態と同様である。
【００９２】
位置解析部２１２は、オブジェクト抽出部２１１から、骨のオブジェクトを示す情報をタイミングごとに受ける。位置解析部２１２は、この情報を基に、各タイミングにおける骨の位置関係を特定する。この特定方法は、第１の実施形態と同様である。以降では、図２Ａ〜図２Ｃに示すように、オブジェクトＭ１１及びＭ１３から平面Ｐ１１及びＰ１３を抽出し、これを基にオブジェクトＭ１１及びＭ１３の位置関係を特定したものとして説明する。
【００９３】
一連のタイミングについて、オブジェクトＭ１１及びＭ１３の位置関係が特定されると、位置解析部２１２は、隣接するタイミング間で、オブジェクトＭ１１及びＭ１３の位置関係を比較して変化量を算出する。この位置関係の比較は、第１の実施形態と同様に、平面Ｐ１１及びＰ１２の間の角度や距離に基づき算出すればよい。第１の画像データは、一連の時間幅全体にわたって、一定のボリュームレートで再構成されている。そのため、隣接するタイミング間で変化量を算出すると、被検体が速く動いているタイミング間ほど、その変化量が高くなる。即ち、位置解析部２１２は、隣接するタイミング間それぞれについて算出された変化量が、あらかじめ決められた量（以降では、「所定量」と呼ぶ）以上か否かを判断し、変化量が所定量以上となるタイミング間により形成される時間幅を特定する。この時間幅が、第１の実施形態における時間幅Ｔ２１（図２Ｅ参照）に相当し、その他が時間幅Ｔ１１及びＴ１２に相当する。以降では、位置解析部２１２は、この時間幅Ｔ２１を特定したものとして説明する。位置解析部２１２は、特定された時間幅Ｔ２１を再構成処理部１４に通知する。
【００９４】
なお、以降の処理は、第１の実施形態と同様である。即ち、再構成処理部１４は、通知された時間幅Ｔ２１と、他の時間幅Ｔ１１及びＴ１２とで再構成条件を変えて再構成処理を施して、表示用の画像データを再構成条件に基づくタイミングごとに再構成する。再構成処理部１４は、再構成された表示用の一連の画像データを画像データ記憶部１０に記憶させる。画像処理部２２は、これらの画像データに対して画像処理を施して医用画像を生成し、これを対応するタイミングを示す情報と関連付けて画像記憶部２３に記憶させる。表示制御部３０は、これらの医用画像を画像記憶部２３から読み出し、時系列に沿って並べて動画として表示部４０１に表示させる。
【００９５】
なお、上記では、第１の実施形態と同様に骨のオブジェクトの位置関係に基づき、再構成条件を変更する時間幅Ｔ２１を特定したが、第２の実施形態と同様に、被検体の外形の形状変化に基づき時間幅Ｔ２１を特定してもよい。その場合には、位置解析部２１２は、隣接するタイミング間で外形オブジェクを比較して、その差を変化量とすればよい。
【００９６】
以上のように、本実施形態に係る医用画像処理装置は、関節などのように、経時的に連動する少なくとも２つ以上の部位の位置関係の、単位時間あたりの変化量に応じて再構成条件を変更する時間幅を特定する。そのうえで、特定された時間幅について、他の時間幅よりも高いボリュームレートで画像データを再構成する。これにより、本実施形態に係る医用画像処理装置は、観察対象が速く動く場合に、高いフレームレートで医用画像を表示させることが可能となる。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載されたその均等の範囲に含まれる。
【符号の説明】
【００９８】
１      ガントリ
２      回転リング
３      Ｘ線源
４      Ｘ線フィルタ
５      Ｘ線検出器
６      スライド式寝台
７      高電圧装置
８      Ｘ線コントローラ
９      ガントリ／寝台コントローラ
１０    画像データ記憶部
１１    データ収集部
１２    前処理部
１３    投影データ記憶部
１４    再構成処理部
２０    画像処理ユニット
２１    構造抽出部
２１１  オブジェクト抽出部
２１２  位置解析部
２２    画像処理部
２３    画像記憶部
３０    表示制御部
４０    Ｕ／Ｉ
４０１  表示部
４０２  操作部
５００  Ｘ線撮影部
５０１  スキャン制御部
【図１Ａ】
2013172816.tif 000003
【図１Ｂ】
2013172816.tif 000004
【図２Ａ】
2013172816.tif 000005
【図２Ｂ】
2013172816.tif 000006
【図２Ｃ】
2013172816.tif 000007
【図２Ｄ】
2013172816.tif 000008
【図２Ｅ】
2013172816.tif 000009
【図２Ｆ】
2013172816.tif 000010
【図３Ａ】
2013172816.tif 000011
【図３Ｂ】
2013172816.tif 000012
【図３Ｃ】
2013172816.tif 000013
【図４Ａ】
2013172816.tif 000014
【図４Ｂ】
2013172816.tif 000015